(57)【特許請求の範囲】
【請求項１】
皿取付基体と当該皿取付基体の前側に位置する皿カバーとにより形成される上方開放状の球貯蔵室と、
前記球貯蔵室から遊技に使用する球を球発射機構に供給する遊技球排出通路部とを備える遊技用皿装置であって、
前記球貯蔵室は、当該球貯蔵室に貯蔵される球を前記皿取付基体側、及び、前記遊技球排出通路部側に流下させる底面と、前記底面に形成される抜球取入口と、前記皿カバー側から前記球貯蔵室側に突出し、前記底面を流下する球を前記抜球取入口又は前記遊技球排出通路部に振り分ける分流可動体とを有し、
前記抜球取入口が、前記皿取付基体から、当該皿取付基体に沿って前記遊技球排出通路部側に流下する球よりも前側に離間した位置に配置され、
前記分流可動体が、突出した状態において前記抜球取入口及び前記遊技球排出通路部との間、かつ、前記皿取付基体から、当該皿取付基体に沿って前記遊技球排出通路部側に流下する球よりも前側に離隔した位置に配置されることを特徴とする遊技用皿装置。
【請求項２】
前記分流可動体は前記皿カバーの外部より操作可能な分流操作部を備えたことを特徴とする請求項１記載の遊技用皿装置。
【発明の詳細な説明】
【０００１】
【発明の属する技術分野】
本発明は、パチンコ機やスロットマシンのように球を使用する遊技機において遊技に用いる球を貯める皿装置に関する。
【０００２】
【従来の技術】
図８は従来のパチンコ機の外観を示し、遊技機枠体５０の内部に遊技盤５１を格納した後、パネル枠５２や上皿装置５３を閉じると、上皿装置５３の遊技球排出通路部５４が開く。その状態において、遊技者が貨幣と交換に遊技店から遊技に使用するために借受けた球を上皿装置５３の球貯蔵室５５に入れてハンドルグリップのような遊技操作部５６を操作すると、球貯蔵室５５から球が上皿装置５３の遊技球排出通路部５４を経由して球発射機構５７に１個ずつ供給され、球が供給される毎に、球発射機構５７が供給された球を遊技盤５１の方向に発射する。この発射された球が遊技盤５１の入賞口に入賞する毎に、遊技機枠体５０の裏側より賞球としての球が上皿装置５３の球受樋５８を経由して球貯蔵室５５に排出されて貯蔵される。この球貯蔵室５５が満杯となって溢れた球は上皿装置５３から遊技機枠体５０の裏側を経由して下皿装置５９の球貯蔵室６０に払出されて貯蔵される。又、遊技者が上皿装置５３の球貯蔵室５５から球を抜く場合は、遊技者が上皿装置５３の球抜操作部を操作することにより、上皿装置５３の抜球排出通路部６１が開き、球貯蔵室５５から球が抜球排出通路部６１及び抜球受通路部６２を経由して下皿装置５９の球貯蔵室６０に移し替えられる。下皿装置５９から球を抜く場合は、遊技者が下皿装置５９の下にドル箱と呼ばれるような球箱を置き、下皿装置５９の球抜操作部を操作することにより、下皿装置５９から球が球箱に移し替えられる。
【０００３】
【発明が解決しようとする課題】
しかし、前記従来の上皿装置５３は図７に示すように抜球排出通路部６１を開閉する抜球シャッター６３が遊技球排出通路部５４における当該遊技球排出通路部５４を開閉する遊技球シャッター６４の直前通路の底部を形成し、遊技者が上皿装置５３の球を抜こうとして図外の球抜操作部を操作すると、抜球シャッター６３が図７の紙面表側又は裏側に移動し開いて遊技球排出通路部５４の底部が開口し、球貯蔵室５５から球が矢印Ｘ１方向で示すように遊技球排出通路部５４及び当該開口した底部を経由して抜球排出通路部６１に到達する構造である。このため、遊技者が上皿装置５３の球を抜こうとして球抜操作部を操作すると、球貯蔵室５５から球が矢印Ｘ２方向で示すように遊技球排出通路部５４を経由して球発射機構５７に適切に供給されなくなり、遊技性に欠けることは否めない。
【０００４】
そこで、本発明は、球貯蔵室から遊技に使用する球の供給を阻害することなく球貯蔵室から球を抜くことができる遊技用皿装置を提供するものである。
【０００５】
【課題を解決するための手段】
本発明にあっては、上方開放状の球貯蔵室に球が充分に貯蔵されている状態において、分流可動体が球貯蔵室の内部に進出して球貯蔵室の球を遊技球排出通路部と抜球取入口とに振り分けることにより、球貯蔵室から遊技に使用する球の流路を確保しつつ球を抜き、遊技者が遊技を適切に行いながら、球貯蔵室から球を抜くことができる。又、本発明にあっては、分流可動体が皿カバーの外部より操作可能な分流操作部を備えれば、遊技者の分流操作部の操作で分流可動部を移動することができる。
【０００６】
【発明の実施の形態】
図１及び図２は第１実施形態であって、図１は遊技用皿装置１の平面を示し、図２は図１をＡ−Ａ線に沿い切断した断面を示す。
【０００７】
図１及び図２を参照し、上皿の機能を有する遊技用皿装置１について説明する。遊技用皿装置１は皿取付基体２の前側に皿カバー３を有し、上方に開口された球貯蔵室４と遊技球排出通路部５と球抜手段６及び分流手段１６を備える。皿取付基体２及び皿カバー３が球貯蔵室４周りを形成する皿構成体である。球貯蔵室４の底面は前方より皿取付基体２の側に球Ｐを流下すると共に球受樋７の側から遊技球排出通路部５の側に球を流下するような斜面になっている。この底面の前方より皿取付基体２の側に球を流下する傾斜は底面が皿取付基体２の前面との略９０度なる挟角を有するか、又は、底面が皿取付基体２の前面との鋭角なる挟角を有するかの何れかによって実現可能であるが、挟角が略９０度なる場合は遊技用皿装置１の取付けられた遊技機枠体が島設備に約１度程度の角度を以って後傾状に設置されることによって実現し得る。
【０００８】
遊技球排出通路部５は球貯蔵室４の前側より後側に向けて前後幅が徐々に狭くなる狭窄部８より連続し、球貯蔵室４から流下した球Ｐを皿取付基体２との共同により一列に整列して皿取付基体２に形成された遊技球排出口９に誘導する形態である。遊技球排出通路部５における遊技球排出口９側部分は不正防止の観点から上方が閉鎖された形態である。
【０００９】
球抜手段６は抜球取入口１０と抜球シャッター１１及び球抜操作部１２を備える。抜球取入口１０は球貯蔵室４から遊技球排出通路部５への球Ｐの流路を避けた位置で球貯蔵室４の底部に形成される。第１実施形態では抜球取入口１０が皿取付基体２との間に複数の球Ｐが通過可能な通路を確保する位置で皿取付基体２より離隔すると共に狭窄部８の近傍に位置する。抜球シャッター１１は抜球取入口１０を開閉するものである。球抜操作部１２は抜球シャッター１１を開閉操作するものであって、球貯蔵室４周りの皿カバー３に形成された長孔２２に配置される。抜球シャッター１１が皿カバー３の内部に取付けられる際に、球抜操作部１２が長孔２２を経由して皿カバー３の表面に突出する。
【００１０】
分流手段１６は分流可動体１７及び分流操作部１８を備える。分流可動体１７は抜球取入口１０の周囲における皿カバー３に軸１９で回転可能に取付けられる。分流操作部１８は分流可動体１７を進出後退操作するものであって、球貯蔵室４周りの皿カバー３に形成された長孔２０に配置される。分流可動体１７が皿カバー３の内部に取付けられる際に、分流操作部１８が長孔２０を経由して皿カバー３の表面に突出する。
【００１１】
そして、遊技球排出通路部５から少なくとも抜球取入口１０を越えて、球が球貯蔵室４に貯蔵された状態において、遊技者が図８の遊技操作部５６を操作すると、球Ｐが遊技球排出通路部５を一列状となって遊技球排出口９に取込まれる一方、遊技者が分流操作部１８及び球抜操作部１２を横方向に操作する。分流操作部１８の操作によって、分流可動体１７が軸１９を回転中心として皿カバー３の内部より球貯蔵室４の内部に突出する。この突出した分流可動体１７は抜球取入口１０と遊技球排出通路部５との間に位置する。上記球抜操作部１２の操作によって、抜球シャッター１１が抜球取入口１０より退避して開く。
【００１２】
その状態において、遊技球排出通路部５より溢れた球が球貯蔵室４の内部に突出した分流可動体１７で遊技球排出通路部５と抜球取入口１０とに振り分けられる。振り分けられた一方の球Ｐは遊技球排出通路部５に導かれ、振り分けられた他方の球Ｐは抜球取入口１０に取込まれる。よって、球貯蔵室４内では分流手段１６で遊技球排出通路部５への球流路を確保しながら振り分けられた球Ｐが抜球取入口１０に取込まれる。
【００１３】
遊技者が球抜き操作を止める場合は、遊技者が分流操作部１８及び球抜操作部１２を前記と逆方向に操作する。分流操作部１８の操作によって、分流可動体１７が球貯蔵室４から皿カバー３の内部に取込まれる。球抜操作部１２の操作によって、抜球シャッター１１が球抜取入口１０を閉じる。
【００１４】
要するに、第１実施形態の構造によれば、球抜きに際しては分流可動体１７を皿カバー３から球貯蔵室４に突出させて球貯蔵室４内の球を抜球取入口１０に適切に誘導し、球抜き以外の遊技状態では分流可動体１７を球貯蔵室４より皿カバー３の内部に退避させて球貯蔵室４内の球を遊技球排出通路部５に自然流下で誘導することができる。しかも、球抜き中においても、抜球取入口１０及び分流可動体１７が遊技球排出通路部５を避けた位置に設けられたことから遊技球排出通路部５における球流路を確保することができる。
【００１５】
第１実施形態では抜球取入口１０に連なる抜球排出通路部１３は皿取付基体２に形成された抜球排出口１４に連なっていることから、図８に示す上皿装置５３に代えて第１実施形態の遊技用皿装置１を遊技機枠体５０に取付けて閉じることにより、抜球排出口１４が図８の抜球受通路部６２に連なるので、上記球貯蔵室４から抜球取入口１０に取込まれた球は抜球排出通路部１３より抜球排出口１４及び図８の抜球受通路部６２を経由して下皿装置５９の球貯蔵室６０に移し替えられる。遊技用皿装置１を遊技機枠体５０に組付けて閉じると、遊技球シャッター１５が遊技球排出口９より退避して開き、開かれた遊技球排出口９と図８の球発射機構５７とが対応するので、前記遊技球排出通路部５より遊技球排出口９に取込まれた球は球発射機構５７に供給される。
【００１６】
図３は第２実施形態に係る上皿及び下皿の機能を合せ持つ遊技用皿装置１の断面を示す。図３に示すように、遊技用皿装置１は抜球取入口１０に連なる抜球排出通路部１３が皿カバー３の下面に開口した抜球排出口２１を備え、皿取付基体２から図１の抜球排出口１４を除去した形態である。球貯蔵室４から球Ｐを抜く場合、遊技者が遊技用皿装置１の下にドル箱と呼ばれるような球箱を置き、遊技者が図１に示す球抜操作部１２及び分流操作部１８を操作する。そして、抜球シャッター１１が抜球取入口１０より退避して開き、球貯蔵室４に貯蔵された球Ｐが遊技球排出通路部５への球Ｐの流路を確保しながら抜球取入口１０に取込まれる。この抜球取入口１０に取込まれた球Ｐは抜球排出通路部１３より抜球排出口２１を経由して球箱に移し替えられる。
【００１７】
図４は第３実施形態に係る遊技用皿装置１の平面を示す。図４において、遊技用皿装置１は分流可動体１７を球貯蔵室４の底面に昇降可能に設け、分流操作部１８を皿カバー３に押込可能に設け、球貯蔵室４から球を抜く場合、遊技者が球抜操作部１２及び分流操作部１８を操作する。分流操作部１８の押込み操作により、分流可動体１７が球貯蔵室４の底面より球貯蔵室４の内部に突出して球貯蔵室４の内部における球を遊技球排出通路部５と抜球取入口１０とに振り分ける。そして、遊技者が分流操作部１８及び球抜操作部１２を前記と逆方向に操作する。この分流操作部１８からの押込力解除によって、分流可動体１７が球貯蔵室４の底面より下方に取込まれる。この取込まれた分流可動体１７の上面が球貯蔵室の底面と同一面内に位置するように設定されれば、球抜き以外において球貯蔵室４から遊技球排出通路部５への球の自然流下による誘導が最良となる。
【００１８】
図５及び図６は第４実施形態であって、図５は遊技用皿装置１の平面を示し、図６は図５をＢ−Ｂ線に沿い切断した断面を示す。図５に示すように、第４実施形態は球抜機能と分流機能とを単一可動体２５と単一操作部２６とで構成して操作性を向上したものである。図６に示すように、抜球排出通路部１３が球貯蔵室４の底面と皿カバー３の下面に開口とに貫通し、抜球排出通路部１３には単一可動体２５が昇降可能に収納される。単一可動体２５は茶筒の蓋のように天蓋筒状であって、側面上部に抜球取入口１０を備える。単一操作部２６は皿カバー３に昇降可能に組付けられ、単一操作部２６の下端部と単一可動体２５とが皿カバー３に内蔵されたレバー２７で互いに連結される。レバー２７の一端が単一操作部２６にピン２８で連結され、レバー２７の他端が単一可動体２５の外側面にピン２９で連結され、レバー２７の中間が皿カバー３に形成された空洞部３０に軸３１で支持される。軸は皿カバー３より空洞部３０に突設された支持部３２に取付けられる。
【００１９】
第４実施形態の構造によれば、球貯蔵室４から球Ｐを抜く場合、遊技者が遊技用皿装置１の下にドル箱と呼ばれるような球箱を置き、遊技者が単一操作部２６を押込むと、単一可動体２５が図６の実線示位置から仮想線示位置へと移動つまり球貯蔵室４の底面より上昇する。この上昇によって、抜球取入口１０が球貯蔵室４の内部に配置され、球貯蔵室４に貯蔵された球Ｐが遊技球排出通路部５への球Ｐの流路を確保しながら抜球取入口１０に取込まれる。この抜球取入口１０に取込まれた球Ｐは単一可動体２５の内部を経由して抜球排出通路部１３より球貯蔵室４外に抜かれる。そして、遊技者が単一操作部２６からの押込力解除によって、単一可動体２５が図６の仮想線示位置から実線示位置へと移動つまり球貯蔵室４の内部より下降する。この下降によって、単一可動体２５の上面が球貯蔵室４の底面と同一面内に位置する。
【００２０】
図８の球発射機構５７を球貯蔵室４から取込んだ球を島側に排出する球取込機構に代替することによって、球Ｐを遊技媒体として用いるスロットマシンに本発明を適用できる。上記球取込機構が遊技者が図８の遊技操作部５６を操作することによって球取込動作を行うようにすることは可能である。
【図面の簡単な説明】
【図１】  第１実施形態の遊技用皿装置を示す平面図。
【図２】  図１のＡ−Ａ線断面図。
【図３】  第２実施形態の遊技用皿装置を示す断面図。
【図４】  第３実施形態の遊技用皿装置を示す平面図。
【図５】  第４実施形態の遊技用皿装置を示す平面図。
【図６】  図５のＢ−Ｂ線断面図。
【図７】  図８のＣ−Ｃ線断面図。
【図８】  従来のパチンコ機を示す斜視図。
【符号の説明】
１  遊技用皿装置
２  皿取付基体（皿構成体）
３  皿カバー（皿構成体）
４  球貯蔵室
５  遊技球排出通路部
６  球抜手段
１６  分流手段
１８  分流操作部
５０  遊技機枠体
Ｐ  球
【図１】
0004522605.tif 000002
【図２】
0004522605.tif 000003
【図３】
0004522605.tif 000004
【図４】
0004522605.tif 000005
【図５】
0004522605.tif 000006
【図６】
0004522605.tif 000007
【図７】
0004522605.tif 000008
【図８】
0004522605.tif 000009